(57)【要約】【課題】ＨＤＤ等の記憶装置の保護および取り扱い性の向上を図る。【解決手段】電池パック１０ａは、外部の装置に着脱される。電池パック１０ａは、電池セル１２ａ，１２ｂとＨＤＤ１６とを備える。ＨＤＤ１６自体も電池パック１０ａ内に着脱可能に内蔵される。ＨＤＤ１６は第１および第２の電池セル１２ａ，１２ｂの間に配置する。あるいは、内部に空洞を有する電池セルの空洞内にＨＤＤ１６を収容する。電池パック１０ａは、さらに、電池セルから得られる電圧に基づいてＨＤＤ用の動作電圧を生成する電源回路１４を内蔵してもよい。【選択図】図１
2007134105.tif 000002
【特許請求の範囲】
【請求項１】
外部の装置に着脱される電池パックであって、電池セルと記憶装置とを備え、前記記憶装置が着脱可能に内蔵されたことを特徴とする電池パック。
【請求項２】
少なくとも第１および第２の電池セルを備え、前記第１および第２の電池セルの間に前記記憶装置を配置したことを特徴とする請求項１記載の電池パック。
【請求項３】
内部に空洞を有する電池セルを備え、前記空洞内に前記記憶装置を収容したことを特徴とする請求項１記載の電池パック。
【請求項４】
前記記憶装置はＨＤＤであり、前記ＨＤＤを外部と接続するためのＨＤＤインタフェースを備えることを特徴とする請求項１〜３のいずれかに記載の電池パック。
【請求項５】
電池セルから得られる電圧に基づいて前記記憶装置用の動作電圧を生成する電源回路を備えたことを特徴とする請求項１記載の電池パック。
【請求項６】
温度検出用素子を備え、前記電源回路を電池パックの一端側に配置し、前記温度検出用素子を前記電源回路から離れた他端側に配置したことを特徴とする請求項５記載の電池パック。
【請求項７】
電池セルと記憶装置とを備え、前記電池セルから得られる電圧に基づいて前記記憶装置用の動作電圧を生成する電源回路を備えたことを特徴とする電池パック。
【請求項８】
温度検出用素子を備え、前記電源回路を電池パックの一端側に配置し、前記温度検出用素子を前記電源回路から離れた他端側に配置したことを特徴とする請求項７記載の電池パック。
【請求項９】
電池セルと記憶装置とを有し、前記記憶装置が着脱可能に内蔵された電池パックと、
この電池パックを着脱可能に装着する機器本体と
を備えたことを特徴とする電子機器。
【請求項１０】
電池セルと記憶装置とを有し、前記電池セルから得られる電圧に基づいて前記記憶装置用の動作電圧を生成する電源回路を備えたことを特徴とする電池パックと、
この電池パックを着脱可能に装着する機器本体と
を備えたことを特徴とする電子機器。
【発明の詳細な説明】
【技術分野】
【０００１】
本発明は、電池パックおよびこの電池パックが着脱可能に装着される電子機器に関するものである。
【背景技術】
【０００２】
従来、電子機器に取り外し可能に接続される記憶装置として、書き替え型メモリを含むデータ記憶ユニットと、再充電可能な電池パックを有する電源とを備えたチップカードが提案されている（特許文献１参照）。
【０００３】
また、ハードディスクドライブ（ＨＤＤ）を内蔵した小型の携帯型電子機器において、機器本体に加わった衝撃による内蔵電子部品間の衝突を防止するものとして、緩衝部材を介してＨＤＤのような電子部品との間に間隙を有して配置される電池パックを備えたものが提案されている（特許文献２参照）。
【特許文献１】特開２００２−２１５３３９号公報
【特許文献２】特開２００３−３４６７５５号公報
【発明の開示】
【発明が解決しようとする課題】
【０００４】
ハードディスクドライブ（ＨＤＤ）はデータの書き込み・読み出しが可能な大容量の記憶装置であり、近年、極めて小型のものが実用化されている。このようなＨＤＤは携帯型の音楽再生装置の用途に搭載され、普及してきている。ＨＤＤは可動部品を備えており、半導体メモリなどの静的な記憶デバイスに比べて、振動や衝撃に対して弱いという特性を有する。
【０００５】
一方、携帯電話機のような電子機器には充電可能かつ着脱可能な電池パックが内蔵されている。携帯電話機では電池パックは、ユーザが交換可能なように、機器本体に着脱自在に構成されている。
【０００６】
このような背景において、ＨＤＤが携帯電話機に搭載されることも検討されている。ＨＤＤを単に装置内に固定的に内蔵した場合、故障時等にその交換をユーザが行うことができなかったり、ユーザが行えるとしてもその作業が簡単でなければ利便性の低いものとなってしまったりしていた。
【０００７】
本発明はこのような背景において、ＨＤＤ等の記憶装置の保護および取り扱い性の向上を図るものである。
【課題を解決するための手段】
【０００８】
本発明による電池パックは、外部の装置に着脱される電池パックであって、電池セルと記憶装置とを備え、前記記憶装置が着脱可能に内蔵されたことを特徴とする。
【０００９】
この構成では、記憶装置を電池と一体的に取り扱うことができるとともに、記憶装置自体も電池パックに対して着脱可能となる。
【００１０】
少なくとも第１および第２の電池セルを備える場合、前記第１および第２の電池セルの間に前記記憶装置を配置したり、内部に空洞を有する電池セルの空洞内に前記記憶装置を収容したりすることにより、電池パックを衝撃等から保護することができる。
【００１１】
電池パックには、電池セルから得られる電圧に基づいて記憶装置用の動作電圧を生成する電源回路を内蔵してもよい。
【００１２】
本発明は上記のような電池パックを着脱可能に装着する電子機器も提供する。
【発明の効果】
【００１３】
本発明の電池パックによれば、ＨＤＤ等の記憶装置を電池と一体的に取り扱うことができるとともに、記憶装置自体も着脱可能となるので、記憶装置の保護および取り扱い性の向上が図れる。
【００１４】
また、セルにより記憶装置を挟み込んだり、収容したりすることにより、記憶装置を衝撃から守ることができる。
【００１５】
電池パック内に記憶装置用の電源回路を内蔵することにより、この電池パックを装着する電子機器側で電池パックの電源仕様の違いに対応する必要がなくなる。また、電池パックで外部に露出される、記憶装置用の電源電圧用の端子が不要となる。
【発明を実施するための最良の形態】
【００１６】
以下、本発明の好適な実施の形態について図面を参照しながら詳細に説明する。
【００１７】
図１は、本発明の第１の実施の形態に係る電池パック１０ａの概略の内部構成を示している。電池パック１０ａはセル部１２、電源回路１４、ＨＤＤ１６、および端子部１８を備えている。外部から充電可能なセル部１２は、直列接続された２個のセル１２ａ，１２ｂからなる。セル部１２の両端は端子部１８の＋，−端子に接続され、外部に電池電圧を出力するようになっている。電源回路１４は、セル部１２から得られる電力を利用してＨＤＤ１６の動作電源電圧（複数の異なる電圧）を生成する。この電源回路１４は端子部のＣＴＲＬ端子を介して外部からの制御信号により能動化されるように構成されている。ＨＤＤ１６は、その外部との接続のための端子１６ａ，１６ｂ，１６ｃを有している。端子１６ａは電源回路１４からの電源電圧を受ける端子である。端子１６ｂは端子部１８のＨＤＩＦ（インタフェース）端子を介して外部との信号（制御信号およびデータ）の授受を行うための端子である。端子１６ｃは接地端子である。これらの端子１６ａ，１６ｂ，１６ｃは、電気接点（またはコネクタ）により、ＨＤＤ１６を電池パック１０ａに対して着脱可能とする。電池パック１０ａの端子部１８は、この電池パック１０ａが装着される装置に対して、電気接点またはコネクタを介して、着脱可能に接続される。
【００１８】
図２は図１に示した電池パック１０ａの概略の外観構成を示す図である。図２（ａ）は斜視図、図２（ｂ）は正面図を示している。この構成では、プラスチック等の絶縁性の本体１１の内部において、ＨＤＤ１６がセル１２ａとセル１２ｂとの間に挟まれる形で配置される。ユーザがＨＤＤ１６を交換等できるように、ＨＤＤ１６を本体１１の開口に対して挿入するか、または、本体１１の内部を開放できるような本体構成とする。
【００１９】
第１の実施の形態の構成により、ＨＤＤ１６はセル１２ａ，１２ｂの間に配置されるので、ＨＤＤ１６を衝撃から保護することができる。また、ＨＤＤ１６を電池パック１０ａから着脱可能としたので、ＨＤＤ１６の故障時や、携帯電話機の機種変更時などのＨＤＤの交換や移設等が比較的容易になる。（近年、端末間での電池パックの仕様の共通化が進められており、端末が異なっても同じ電池パックが利用できるようになることが想定される。）
【００２０】
また、電池パック内にＨＤＤ用電源回路を内蔵することにより、電池パックにおいて電子機器側からの電源供給端子を削減することが可能となる。さらに、異なる電源仕様のＨＤＤに対して電子機器側で対応する必要がなくなる。その結果、例えば携帯電話機を買い換えても同じＨＤＤを互換性をもって接続することができる（但し、ＨＤＩＦの電圧は電子機器側と共通にする必要はある）。
【００２１】
図３は、本発明の第２の実施の形態に係る電池パック１０ｂの概略の内部構成を示している。図１に示した要素と同様の要素には同じ参照符号を付して、重複した説明は省略する。この電池パック１０ｂが電池パック１０ａと異なる点はセル部１２内に単一のセル１２ｃを有することである。図４にその概略の外観構成を示すように、セル１２ｃはほぼ筒状の形状を有し、内部に空洞を形成している。この構成では、この空洞の内部にＨＤＤ１６を収容する。本体１１としては、ＨＤＤ１６を本体１１の開口に対して挿入できるような構成とする。本実施の形態によっても上記第１の実施の形態と同じ効果が得られる。さらに本実施の形態では、ＨＤＤ１６を包み込む素材をシールド材とすれば電源回路やハードディスクの輻射ノイズを抑制することが可能となる。
【００２２】
図５は、本発明の実施の形態の変形例を示している。セル部１２は図１、図３のいずれの構成であってもよい。この電池パック１０ｃは、この電池パックの温度を検知するための温度検出用素子としてのサーミスタ３１、過充電・過放電防止等のための保護回路３３、この保護回路３３の出力によりセル部１２から＋端子までの経路をオン・オフ制御するスイッチ回路（ＳＷ）３４を有する。スイッチ回路３４は電子的にオン・オフ制御されるトランジスタ等のスイッチング素子から構成しうる。この場合、端子部１８は、サーミスタ３１のＳＩＧ端子も含む。
【００２３】
図６は、図１の電池パック１０ａの構成において、ＨＤＤ１６とセル１２ａ，１２ｂの積層構造の相対向する両側部に電源回路基板２２と電池端子基板２４を配置した構成を有する電池パック１０ｃを示している。電源回路基板２２には電源回路１４を搭載し、電池端子基板２４には、端子部１８の他、サーミスタ３１、保護回路３３、スイッチ回路３４を搭載している。通常、電源回路１４は発熱しやすいため、電源回路１４を電池パックの一端側に配置し、サーミスタ３１を電源回路１４から離れた他端側に配置している。
【００２４】
なお、特に図示しないが、図３の電池パック１０ｂに対して同様の構成を採用することも可能である。
【００２５】
図７は、本実施の形態における端子部１８として、ここでは、外部に露出した電気接点の具体例を示している。図７（ａ）は電池パック１０の本体の最も広い面（主面）の一辺に並べて端子部１８ａを配置した例を示している。図７（ｂ）は電池パック１０の側面の一辺に端子部１８ｂを並べて配置した例を示している。図７（ｃ）は電池パック１０の主面の中間部に端子部１８ｃを配置した例を示している。図７（ｃ）の構成では、電池端子基板２４からフレキシブル基板４２により、信号線を延長して端子部１８ｃを設けているので、より広い面に端子を配置できる。したがって、端子数が多い場合にも余裕をもって端子を配置することができる。端子部１８ａ〜１８ｃの電気接点は、電池パック１０が装置内に装着されたときに、装置側のバネ接点等（図示せず）と接触して電気的な導通が図られる。
【００２６】
図８に、本実施の形態における電池パック１０を利用した電子機器の構成例を示す。電子機器は電池パック１０を収納する収納部４４を有し、ここに電池パック１０が収納され、カバー４０により被覆されるようになっている。収容部４４の一壁面には端子部１８と接するバネ接点４６が具備されている。
【００２７】
以上、本発明の好適な実施の形態について説明したが、上記で言及した以外にも種々の変形、変更を行うことが可能である。
【００２８】
例えば、記憶装置としてＨＤＤについて説明したが、必ずしもＨＤＤに限るものではなく、ＨＤＤ以外の動的な記憶デバイス、さらには、半導体メモリなどの静的な記憶デバイスにも適用可能である。
【００２９】
電子機器の一例として携帯電話機について説明したが、本発明の電子機器は携帯電話機に限るものではなく、ＰＤＡ、音楽や映像等の再生装置、ゲーム機等も含みうる。
【図面の簡単な説明】
【００３０】
【図１】本発明の第１の実施の形態に係る電池パックの概略の内部構成を示す図である。
【図２】図１に示した電池パックの概略の外観構成を示す図である。
【図３】本発明の第２の実施の形態に係る電池パックの概略の内部構成を示す図である。
【図４】図３に示した電池パックの概略の外観構成を示す図である。
【図５】本発明の実施の形態の変形例を示す図である。
【図６】図１の電池パックの構成において、ＨＤＤとセルの積層構造の相対向する両側部に電源回路基板と電池端子基板を配置した構成を示す図である。
【図７】本発明の実施の形態における端子部として、ここでは、外部に露出した電気接点の具体例を示す図である。
【図８】本発明の実施の形態における電池パックを利用した電子機器の構成例を示す図である。
【符号の説明】
【００３１】
１０，１０ａ，１０ｂ，１０ｃ…電池パック、１１…本体、１２…セル部、１２ａ，１２ｂ…電池セル、１４…電源回路、１６…記憶装置（ＨＤＤ）、１６ａ，１６ｂ，１６ｃ…端子、１８，１８ａ，１８ｂ，１８ｃ…端子部、２２…電源回路基板、２４…電池端子基板、３１…サーミスタ、３３…保護回路、３４…スイッチ回路、４２…フレキシブル基板、４０…カバー、４２…機器本体、４４…収納部、４６…バネ接点
【図１】
2007134105.tif 000003
【図２】
2007134105.tif 000004
【図３】
2007134105.tif 000005
【図４】
2007134105.tif 000006
【図５】
2007134105.tif 000007
【図６】
2007134105.tif 000008
【図７】
2007134105.tif 000009
【図８】
2007134105.tif 000010